(57)【要約】端末画面のロックを解除する方法及び装置において、上記方法は、上記端末の現在の画面状態がロック解除待ち状態であると確定するステップ（１０１）と、上記端末が配置されている環境の所定の期間内の光照射情報を取得するステップであって、上記光照射情報は光照射強度と上記光照射強度の持続時間を含む、ステップ（１０２）と、上記光照射情報が所定の条件を満たしているか否かを判断するステップ（１０３）と、上記光照射情報が所定の条件を満たせば、上記端末の現在の画面状態をロック解除成功状態に移行させるステップ（１０４）を含む。この方法は、端末の画面に対する手動操作がない前提の下、より高精度の端末画面のロック解除を実現する。【選択図】図１
2019523466.tif 000002
【特許請求の範囲】
【請求項１】
端末画面のロックを解除する方法であって、
端末の現在の画面状態がロック解除待ち状態であると確定するステップと、
前記端末が配置されている環境の所定の期間内の光照射情報を取得するステップであって、前記光照射情報は光照射強度と前記光照射強度の持続時間を含む、ステップと、
前記光照射情報が所定の条件を満たしているか否かを判断するステップと、
前記光照射情報が所定の条件を満たせば、前記端末の現在の画面状態をロック解除成功状態に転換させるステップとを含むことを特徴とする端末画面のロックを解除する方法。
【請求項２】
請求項１において、
前記光照射情報に基づいて光照射強度の変化規律を統計し、前記光照射情報が所定の条件を満たしているか否かを判断するステップは、
前記光照射強度の変化規律が所定の変化規律を満たしているか否かを判断するステップと、
前記光照射強度の変化規律が所定の変化規律と一致すれば、前記光照射情報が所定の条件を満たしていると判断するステップとを含むことを特徴とする端末画面のロックを解除する方法。
【請求項３】
請求項１において、
前記光照射情報が所定の条件を満たしているか否かを判断するステップは、
前記光照射強度が強度閾値よりも大きいか否かを判断するステップと、
前記光照射強度が強度閾値よりも大きい場合には、前記光照射強度の持続時間が時間閾値より大きいか否かを判断するステップと、
強度閾値よりも大きい光照射強度の持続時間が時間閾値よりも大きい場合には、前記光照射情報が所定の条件を満たしていると判断するステップとを含むことを特徴とする端末画面のロックを解除する方法。
【請求項４】
請求項１において、
前記端末の現在の状態がロック解除待ち状態であると確定するステップは、
前記端末に対するユーザの第１の操作に応答して、システムの画面ロック／ロック解除関数を呼び出すステップと、
前記システムの画面ロック／ロック解除関数の戻り値が所定の戻り値である場合には、現在の画面状態がロック解除待ち状態であると確定するステップとを含み、
前記第１の操作は、電源ボタンに対するユーザのクリック操作を含むことを特徴とする端末画面のロックを解除する方法。
【請求項５】
端末画面のロックを解除する装置であって、
前記端末の現在の画面状態がロック解除待ち状態であると確定するように構築された確定ユニットと、
前記端末が配置されている環境の所定の期間内の光照射情報を取得するように構築された取得ユニットであって、前記光照射情報は光照射強度と前記光照射強度の持続時間を含む、取得ユニットと、
前記光照射情報が所定の条件を満たしているか否かを判断するように構築されたと判断ユニットと、
前記光照射情報が所定の条件を満たせば、前記端末の現在の画面状態をロック解除成功状態に転換させるように構築された実行ユニットとを含むことを特徴とする端末画面のロックを解除する装置。
【請求項６】
請求項５において、
前記光照射情報に基づいて光照射強度の変化規律を統計するように構築された統計ユニットをさらに含み、
前記判断ユニットは、
前記光照射強度の変化規律が所定の変化規律を満たしているか否かを判断し、
前記光照射強度の変化規律が所定の変化規律と一致すれば、前記光照射情報が所定の条件を満たしていると判断するように、さらに構築されることを特徴とする端末画面のロックを解除する装置。
【請求項７】
請求項５において、
前記判断ユニットは、
前記光照射強度が強度閾値よりも大きいか否かを判断し、
前記光照射強度が強度閾値よりも大きい場合には、前記光照射強度の持続時間が時間閾値より大きいか否かを判断し、
強度閾値よりも大きい光照射強度の持続時間が時間閾値よりも大きい場合には、前記光照射情報が所定の条件を満たしていると判断するように、さらに構築されることを特徴とする端末画面のロックを解除する装置。
【請求項８】
請求項５において、
前記確定ユニットは、
前記端末に対するユーザの第１の操作に応答して、システムの画面ロック／ロック解除関数を呼び出し、
前記システムの画面ロック／ロック解除関数の戻り値が所定の戻り値である場合には、現在の画面状態がロック解除待ち状態であると確定するように、さらに構築され、
前記第１の操作は、電源ボタンに対するユーザのクリック操作を含むことを特徴とする端末画面のロックを解除する装置。
【請求項９】
プロセッサと、
記憶装置とを含み、
前記記憶装置には、前記プロセッサにより実行可能なコンピュータ読み取り可能なコマンドが記憶され、前記コンピュータ読み取り可能なコマンドが実行される場合、前記プロセッサは、端末画面のロックを解除する方法を実行する機器であって、
前記端末画面のロックを解除する方法は、
端末の現在の画面状態がロック解除待ち状態であると確定するステップと、
前記端末が配置されている環境の所定の期間内の光照射情報を取得するステップであって、前記光照射情報は光照射強度と前記光照射強度の持続時間を含む、ステップと、
前記光照射情報が所定の条件を満たしているか否かを判断するステップと、
前記光照射情報が所定の条件を満たせば、前記端末の現在の画面状態をロック解除成功状態に転換させるステップとを含むことを特徴とする機器。
【請求項１０】
プロセッサにより実行可能なコンピュータ読み取り可能なコマンドが格納されている不揮発性のコンピュータ記憶媒体であって、
前記コンピュータ読み取り可能なコマンドがプロセッサによって実行される場合に、前記プロセッサは、端末画面のロックを解除する方法を実行し、
前記端末画面のロックを解除する方法は、
端末の現在の画面状態がロック解除待ち状態であると確定するステップと、
前記端末が配置されている環境の所定の期間内の光照射情報を取得するステップであって、前記光照射情報は光照射強度と前記光照射強度の持続時間を含む、ステップと、
前記光照射情報が所定の条件を満たしているか否かを判断するステップと、
前記光照射情報が所定の条件を満たせば、前記端末の現在の画面状態をロック解除成功状態に転換させるステップとを含むことを特徴とする不揮発性コンピュータ記憶媒体。
【発明の詳細な説明】
【技術分野】
【０００１】
本出願は、インテリジェント端末の技術分野に関するものであり、具体的にはインテリジェント端末応用技術分野に関するものであり、特には端末画面のロックを解除する方法及び装置に関するものである。
【０００２】
本出願は、２０１６年７月１９日に提出した、出願番号が第２０１６１０５６９８５９．３号である中国特許出願に基づく優先権を主張し、当該出願の全文を引用することにより本出願に組み込む。
【背景技術】
【０００３】
現在、知能（インテリジェント）端末は、すでに人々の日常生活の一部になっている。多くのユーザは、画面のロックを使用して、プライバシーを保護し、誤作動を防止し、スリープの目的を達成する。ユーザがインテリジェント端末を使用する場合、画面のロック解除を行わなければならない。
【０００４】
端末の画面に対してロック解除を行う従来の方法は、スライドロック解除、文字のパスワードを入力するロック解除、顔認識ロック解除、指紋のロック解除またはドットフローティングロック解除などがある。これらのロック解除方式において、例えば、スライドロック解除、文字のパスワードを入力するロック解除、指紋のロック解除またはドットフローティングロック解除は、人が手動により端末の画面で操作しなければならない。
【０００５】
しかしながら、例えば、環境温度が相対的に低い場合には、指で端末画面に操作を行うことが不便である。併せて、顔認識ロック解除を使用する成功率は相対的に低い。
【発明の開示】
【発明が解決しようとする課題】
【０００６】
本出願は、改善された端末画面のロックを解除する方法及び装置を提供して、上記背景技術の部分に言及された技術課題を解決することを目的とする。
【０００７】
第一の局面として、本出願は、端末画面のロックを解除する方法を提供する。上記方法は、端末の現在の画面状態がロック解除待ち状態であると確定するステップと、上記端末が配置されている環境の所定の期間内の光照射情報を取得するステップであって、上記光照射情報は光照射強度と上記光照射強度の持続時間を含む、ステップと、上記光照射情報が所定の条件を満たしているか否かを判断するステップと、上記光照射情報が所定の条件を満たせば、上記端末の現在の画面状態をロック解除成功状態に転換させるステップとを含む。
【０００８】
第二の局面として、本出願は、端末画面のロックを解除する装置を提供する。上記装置は、上記端末の現在の画面状態がロック解除待ち状態であると確定するように構築された確定ユニットと、上記端末が配置されている環境の所定の期間内の光照射情報を取得する取得ユニットであって、上記光照射情報は光照射強度と上記光照射強度の持続時間を含むように構築された、取得ユニットと、上記光照射情報が所定の条件を満たしているか否かを判断するように構築されたと判断ユニットと、上記光照射情報が所定の条件を満たせば、上記端末の現在の画面状態をロック解除成功状態に転換させるように構築された実行ユニットとを含む。
【０００９】
本出願で提供される端末画面のロックを解除する方法と装置は、端末の現在の画面状態がロック解除待ち状態であると確定し、続いて、端末が配置されている環境の所定の期間内の光照射情報を取得し、上記光照射情報は光照射強度と上記光照射強度の持続時間を含む。次いで、上記光照射情報が所定の条件を満たしているか否かを判断し、上記光照射情報が所定の条件を満たせば、上記端末の現在の画面状態をロック解除成功状態に移行させる。これにより、画面に対する手動操作がない、または手動操作が相対的に少ない前提の下で、精度が相対的に高い画面のロック解除を実現し、ユーザの体験を豊かにする。
【図面の簡単な説明】
【００１０】
以下の図面による非限定的な実施例についての詳細な説明を読み、参照することにより、本出願の他の特徴、目的及び利点がより明らかになる。
【図１】図１は、本出願による端末画面のロックを解除する方法の一実施例のフローチャートである。
【図２】図２は、本出願による端末画面のロックを解除する方法の原理的フローチャートである。
【図３】図３は、本出願による端末画面のロックを解除する方法の他の一実施例のフローチャートである。
【図４】図４は、本出願による端末画面のロックを解除する装置の一実施例の構造概略図である。
【図５】図５は、本出願の実施例を実現するのに適する端末装置のコンピュータシステムの構造概略図である。
【発明を実施するための最良の形態】
【００１１】
以下、図面と実施例を参照しながら、本出願を詳細に説明する。ここで記載される具体的な実施例は、関連の発明を解釈するのみに用いられ、当該発明に対する限定ではないことは理解される。なお、説明の便宜上、図面には、関連の発明に関わる部分のみを示す。
【００１２】
なお、矛盾が生じない限り、本出願における実施例及び実施例における特徴は互いに組み合わせることができるものとする。以下、図面を参照しながら、実施例を併せて本出願を詳しく説明する。
【００１３】
図１を参照すると、本出願による端末画面のロックを解除する方法の一実施例のフロー１００を示す。上記端末画面のロックを解除する方法は、以下のようなステップを含む。
【００１４】
ステップ１０１において、端末の現在の画面状態がロック解除待ち状態であると確定する。
【００１５】
本実施例において、端末は、表示画面を備える各種の電子機器であることができ、スマートフォン、タブレットＰＣ、電子書籍リーダー、ラップトップ型コンピュータやデスクトップ型コンピュータなどを含むが、これに限定されない。
【００１６】
本実施例において、端末の状態は、例えば、ロック解除成功状態とロック解除待ち状態を含むことができる。ここで、ロック解除待ち状態は、画面ロック状態であってもよく、当該画面ロック状態は、ブラック状態、即ち画面オフ状態での画面ロックであってもよく、画面オン状態での画面ロックであってもよい。
【００１７】
本実施例において、端末は、まず端末の現在の画面状態がロック解除待ち状態であると確定する。例えば、端末の現在の画面の消費電力がどのくらいであるかによって、端末の現在の状態がロック解除待ち状態であるか否かを確定することができる。例えば、現在の画面の消費電力が一定の数値よりも少ない場合には、端末の現在の画面状態がロック解除待ち状態であると確定することができる。
【００１８】
本実施例の複数のオプションとなる実施形態において、上記端末に対するユーザの第１の操作に応答して、端末のシステムは、例えば、デフォルト関数を呼び出して、現在の状態がロック解除待ち状態であるか否かを確定することができる。ここで、第１の操作は、例えば端末の電源ボタンに対するユーザのクリック操作であることができる。または、第１の操作は、例えば端末の音声入力装置を介して端末に入力したユーザの一部の音声であることもでき、この一部の音声は、１つの音符または複数の音符などが含まれることができる。デフォルト（基本的）関数は、例えばシステムで提供される画面のロック／ロック解除関数であってもよい。システムは、システムで提供される画面のロック／ロック解除関数を呼び出して、画面のロック／ロック解除関数の戻り値に基づいて、現在の画面がロック解除待ち状態であるか否かを判断することができる。例えば、端末上のシステムは、Ａｎｄｒｏｉｄシステムの場合、端末はＫｅｙｇｕａｒｄＭａｎａｇｅｒタイプ中のｉｎＫｅｙｇｕａｒｄＲｅｓｔｒｉｃｔｅｄＩｎｐｕｔＭｏｄｅ関数を使用して、その関数の戻り値を介して端末画面のロックが解除待ち状態であるか否かを判断することができる。ｉｎＫｅｙｇｕａｒｄＲｅｓｔｒｉｃｔｅｄＩｎｐｕｔＭｏｄｅ関数を使用して取得したｆｌａｇ戻り値が所定の戻り値の「ｔｒｕｅ」である場合、端末の画面の現在の状態がアンロック待ち状態であることが確定される。ロック解除待ち状態は、ａ）画面消え、端末画面のロック解除待ち状態であり、ｂ）画面点灯、端末画面のロック解除待ち状態である、二つの状態を備える。この方法を使用して取得したｆｌａｇ戻り値が「ｆａｌｓｅ」である場合、端末の画面の現在の状態がロック解除成功状態であると確定する。上記ｉｎＫｅｙｇｕａｒｄＲｅｓｔｒｉｃｔｅｄＩｎｐｕｔＭｏｄｅ方法は、現在広く適用されている周知の技術なので、これに対する重複する説明は省略することにする。
【００１９】
ステップ１０２において、所定の期間内に上記端末が配置されている環境の光照射情報を取得する。
【００２０】
現在、大複数の知能移動端末上に様々なセンサが設置され、各種のセンサで移動端末の対応した情報を探測する。例えば、光線センサで環境の光照射情報を収集することができ、上記光照射情報は、例えば光照射強度と光照射強度の持続時間を含むことができる。
【００２１】
本実施例の複数のオプションとなる実施形態において、端末は、まず、その中で運行されているシステムで光線センサパラメータ変更イベントを監視するモニタを登録する。端末で運行しているシステムは、Ａｎｄｒｏｉｄシステムを例とすると、システムからの光線センサパラメータ変更イベントを監視するモニタを登録した後に、システムの運行の過程で、Ａｎｄｒｏｉｄシステムのカーネルは、光照射センサパラメータを監視する。光線センサパラメータに変化が発生したことが監視され検出された場合には、システムは、センサパラメータの変化が発生したことを示す一つのお知らせメッセージを生成する。既に登録されているモニタは、上記お知らせメッセージを受信する。本実施例において、環境光に強弱の変化が発生した場合、端末の光線センサパラメータに変化をもたらすことになるので、このように、システムのカーネルは、光照射センサパラメータに変化が発生したというお知らせメッセージを送信する。したがって、本実施例においては、モニタは、リアルタイムで端末の光線センサパラメータに変化が発生したことを示すお知らせメッセージを受信することができ、光センサに変化が発生したというお知らせメッセージを受信する場合には、モニタは上記光線センサにより探測された端末が配置されている環境の光照射強度を取得することができる。具体的には、モニタは、端末が運行しているシステムで提供される光照射センサのアプリケーション・プログラミング・インターフェース（Ａｐｐｌｉｃａｔｉｏｎ  Ｐｒｏｇｒａｍｍｉｎｇ  Ｉｎｔｅｒｆａｃｅ、ＡＰＩ）を呼び出して、光照射センサが探測した端末が配置されている環境の光照射強度を取得することができる。モニタは、取得した光照射強度を端末に送信する。
【００２２】
また、光照射センサは、異なる光照射強度の持続時間を探測することもでき、モニタは、ＡＰＩを介して各光照射強度の持続時間を取得することもでき、これらの持続時間は、端末に送信される。
【００２３】
本実施例の複数のオプションとなる実施形態において、所定の期間内に、端末が配置されている環境の光照射強度は何度の変化が発生することができる。端末は、モニタを使用して、その所定の期間内の複数の光照射強度と各光照射強度の持続時間を取得することができる。ここで、所定の期間は、例えば、１０秒であることができる。また、所定の期間は、実際の需要に応じて設定を行うことができ、これに対して限定しない。
【００２４】
ステップ１０３において、光照射情報が所定の条件を満たしているか否かを判断する。
【００２５】
本実施例の複数のオプションとなる実施形態において、上記所定の条件は、ユーザが端末で予め設定した変化の規律であることができる。その変化の規律は、例えば、光照射の相対的な強弱の変化を表示する２次元の値とそれぞれの持続時間を含むことができ、例えば、交互に変化する「０」、「１」の数字を含むことができる。ここでの「１」は、例えば光照射強度が予め設定された閾値よりも大きいことを示すことができる。ここでの「０」は、例えば光照射強度が予め設定された閾値よりも小さいことを示すことができる。閾値は、実際の使用環境に応じて設定することができ、これに対して限定しない。また、当該変化の規律は、予め記憶されたユーザが設定した複数の光照射強度が反映される変化の規律であってもよい。
【００２６】
本実施例においては、まず、ステップ１０２で所定の期間内に取得した複数の光照射強度と各光照射強度の持続時間に応じて光照射強度の変化規律を統計して、同様に、光照射強度の変化規律を統計する時、予め設定された閾値よりも大きい光照射強度を「１」とみなし、予め設定された閾値よりも小さい光照射強度を「０」とみなすことができる。続いて、当該光強強度の変化規律とユーザにより予め設定された変化の規律とが一致しているか否かを再度判断する。所定の期間内に取得した複数の光照射強度と各光照射強度の持続時間に応じて統計した光照射強度の変化規律と、ユーザにより予め設定された変化の規律とが一致する場合、光照射情報は所定の条件を満足している。一致しない場合、所定の条件を満たしていない。
【００２７】
ステップ１０４において、上記光照射情報が所定の条件を満たせば、端末の現在の画面状態をロック解除成功状態に転換（移行）させる。
【００２８】
端末は、光照射情報が所定の条件を満たしていると判断される場合、ユーザが端末の画面を使用するように、画面の現在のロック解除待ち状態を解除成功状態に転換させる。
【００２９】
端末の光照射情報が所定の条件を満たしていない場合、端末の現在の画面状態をロック解除待ち状態に保存する。
【００３０】
本実施例で提供される端末画面のロックを解除する方法は、端末の現在の画面状態がロック解除待ち状態であると確定し、続いて、上記端末が配置されている環境の所定の期間内の光照射情報を取得し、上記光照射情報は、光照射強度と上記光照射強度の持続時間を含む。続いて、光照射情報が所定の条件を満たしているか否かを判断し、光照射情報が所定の条件を満たせば、端末の現在の画面状態をロック解除成功状態に転換させる。本実施例で提供される方法は、端末が配置されている環境の光照射強度の変化によって、ユーザの手動操作なしに端末の知能的なロック解除を実現するとともに、ユーザの体験を豊かにすることができる。
【００３１】
続いて、図２を参照し、図２は、本出願による装置のロックを解除する方法の原理的フローチャートである。図２に示すように、ステップ２０１において、端末は、画面ロック状態に処するが、その画面のロック状態は、画面がオンになるロック状態と画面がオフになるロック状態を含む。ステップ２０２において、光照射センサパラメータの変化を監視し、光照射情報を取得する。例えば、システムに既に登録されているモニタは、カーネルから送信された光線センサパラメータの変化に対するお知らせを監視して光照射センサパラメータの変化を監視することにより、端末が配置されている環境の光照射情報を取得することができる。上記光照射情報は、光照射強度と光照射強度の持続時間を含み、モニタは、取得した光照射情報を端末における関連するアプリケーションに伝送することができる。ステップ２０３において、所定の期間内に光照射強度の変化規律と所定の変化規律とが一致するか否かを判断する。ステップ２０４において、所定の期間内に光照射強度の変化規律と所定の変化規律とが一致する場合には、端末の現在の画面状態をロック解除成功状態に転換させ、一致しない場合には、端末の現在の画面状態をロック解除待ち状態に維持する。
【００３２】
続いて、図３を参照し、図３は、本出願による端末画面のロックを解除する方法の他の一実施例のフロー３００を示す。上記端末画面のロックを解除する方法は、以下のようなステップを含む。
【００３３】
ステップ３０１において、端末の現在の画面状態がロック解除待ち状態であると確定する。
【００３４】
本実施例の複数のオプションとなる実施形態において、上記端末に対するユーザの第１の操作に応答して、端末のシステムは、例えば、デフォルト関数を呼び出して、現在の状態がロック解除待ち状態であるか否かを確定することができる。ここで、第１の操作は、例えば端末の電源ボタンに対するユーザのクリック操作であることができる。または、第１の操作は、例えば端末の音声入力装置を介して端末に入力したユーザの一部の音声であることもでき、この一部の音声は、１つの音符または複数の音符などが含まれることができる。デフォルト（基本的）関数は、例えばシステムで提供される画面のロック／ロック解除関数であることができる。システムは、システムで提供される画面のロック／ロック解除関数を呼び出し、画面のロック／ロック解除関数の戻り値に基づいて、現在の画面がロック解除待ち状態であるか否かを判断することができる。例えば、端末上のシステムは、Ａｎｄｒｏｉｄシステムの場合、端末はＫｅｙｇｕａｒｄＭａｎａｇｅｒタイプ中ｉｎＫｅｙｇｕａｒｄＲｅｓｔｒｉｃｔｅｄＩｎｐｕｔＭｏｄｅ関数を使用して、その関数の戻り値によって端末画面のロックが解除待ち状態であるか否かを判断することができる。例えば、ｉｎＫｅｙｇｕａｒｄＲｅｓｔｒｉｃｔｅｄＩｎｐｕｔＭｏｄｅ関数を使用して取得したｆｌａｇ戻り値が所定の戻り値の「ｔｒｕｅ」である場合、端末の画面がロック解除待ち状態であることを表示する。ロック解除待ち状態は、ａ）画面消え、端末画面のロックが解除待ち状態であり、ｂ）画面点灯、端末画面のロックが解除待ち状態である二つの状態を備える。この方法を使用して取得したｆｌａｇ戻り値が「ｆａｌｓｅ」である場合、端末の画面がロック解除成功状態であることを表示する。
【００３５】
ステップ３０２において、所定の期間内に端末が配置されている環境の光照射情報を取得する。
【００３６】
本実施例において、端末に設置されている光線センサにより、端末が配置されている環境の光照射情報を収集することができる。上記光照射情報は、光照射強度とその光照射強度の持続時間を含むことができる。
【００３７】
本実施例において、端末上に運行されているシステムは、光照射センサのパラメータの変化を監視し、パラメータの変化が存在する場合、システムは、システムに予め登録されたモニタにお知らせメッセージを送信する。モニタは、システムによって提供された光照射センサのアプリケーション・プログラミング・インターフェース（Ａｐｐｌｉｃａｔｉｏｎ  Ｐｒｏｇｒａｍｍｉｎｇ  Ｉｎｔｅｒｆａｃｅ、ＡＰＩ）を介して、光センサで探測した光照射強度を取得する。
【００３８】
本実施例において、光照射情報は、光照射強度の持続時間をさらに含むことができる。ここで、各光照射強度の持続時間は、例えば光照射センサで収集することができる。
【００３９】
ステップ３０３において、光照射強度が強度閾値よりも大きいか否かを判断する。
【００４０】
本実施例において、端末は、ユーザにより設定された強度閾値が予め記憶されていることができる。端末は、まず、ステップ３０２で取得した光照射強度と強度閾値を比較し、光照射強度が強度閾値よりも大きい場合に、ステップ３０４を実行する。大きくない場合には、光照射情報が所定の条件を満たしていないと判断し、端末画面の現在の状態をロック解除待ち状態に維持する。
【００４１】
ステップ３０４において、光照射強度が強度閾値よりも大きい場合には、光照射強度の持続時間が時間閾値より大きいか否かを判断する。
【００４２】
本実施例において、端末は、ユーザにより設定された時間閾値が予め記憶されていることができる。数値が強度閾値よりも大きい光照射強度について、当該光照射強度の持続時間がユーザにより設定された時間閾値よりも大きいか否かを判断する。ここで、時間閾値は、例えば１０ミリ秒であることができる。強度閾値よりも大きい光照射強度の持続時間が時間閾値よりも大きい場合には、光照射情報が所定の条件を満たしていると判断し、大きくない場合には、光照射情報が所定の条件を満たしていないと判断する。
【００４３】
ステップ３０５において、強度閾値よりも大きい光照射強度の持続時間が時間閾値よりも大きい場合には、上記端末の現在の画面状態をロック解除成功状態に転換させる。
【００４４】
さらに、図４を参照する。図１に示す方法の実現として、本出願は、端末画面のロックを解除する装置の一実施例を提供し、その装置の実施例は、図１に示す方法の実施例に対応し、この装置は、具体的に、様々な端末に適用することができる。
【００４５】
図４に示すように、本実施例の端末画面のロックを解除する装置４００は、確定ユニット４０１、取得ユニット４０２、判断ユニット４０３と実行ユニット４０４を含む。ここで、確定ユニット４０１は、端末の現在の画面状態がロック解除待ち状態であると確定するように構築される。取得ユニット４０２は、端末が配置されている環境の所定の期間内の光照射情報を取得するように構築され、上記光照射情報は、光照射強度と光照射強度の持続時間を含む。判断ユニット４０３は、光照射情報が所定の条件を満たしているか否かを判断するように構築される。実行ユニット４０４は、光照射情報が所定の条件を満足すれば、端末の現在の画面状態をロック解除成功状態に転換させるように構築される。
【００４６】
本実施例において、確定ユニット４０１は、例えば、端末の現在の画面の消費電力がどのくらいであるかによって、端末の現在の状態がロック解除待ち状態であるか否かを確知することができる。
【００４７】
本実施例の複数のオプションとなる実施形態において、端末のユーザの第１の操作に応答して、確定ユニット４０１は、システムの画面ロック／ロック解除関数を呼び出して、システムの画面ロック／ロック解除関数の戻り値に基づいて、現在の画面状態がロック解除待ち状態であるか否かを判断する。例えば、端末上のシステムは、Ａｎｄｒｏｉｄシステムの場合、端末は、ＫｅｙｇｕａｒｄＭａｎａｇｅｒタイプ中ｉｎＫｅｙｇｕａｒｄＲｅｓｔｒｉｃｔｅｄＩｎｐｕｔＭｏｄｅ関数を使用して、関数の戻り値に基づいて、端末画面のロックが解除待ち状態であるか否かを判断することができる。例えば、ｉｎＫｅｙｇｕａｒｄＲｅｓｔｒｉｃｔｅｄＩｎｐｕｔＭｏｄｅ関数を使用して取得したｆｌａｇ戻り値が所定の戻り値の「ｔｒｕｅ」である場合、端末の画面がロック解除待ち状態であることを表示する。ロック解除待ち状態は、ａ）画面消え、端末画面のロックが解除待ち状態であり、ｂ）画面点灯、端末画面のロックが解除待ち状態である二つの状態を備える。この方法を使用して取得したｆｌａｇ戻り値が「ｆａｌｓｅ」である場合、端末の画面がロック解除成功状態であることを表示する。ここで、第１の操作は、例えば端末の電源ボタンに対するユーザのクリック操作であることができる。一部の応用シーンにおいて、第１の操作は、端末の音声入力装置を介して第１の操作に入力したユーザの一部の音声であることもあり、その一部の音声は、１つの音符または複数の音符などが含まれることができる。
【００４８】
本実施例において、取得ユニット４０２は、まず、システムからの光線センサパラメータ変更イベントを監視するモニタを登録する。端末で運行しているシステムがＡｎｄｒｏｉｄシステムである例として、取得ユニット４０２は、光線センサパラメータ変更イベントを監視するモニタをシステムに登録した後に、Ａｎｄｒｏｉｄシステムの運行過程では、Ａｎｄｒｏｉｄのシステムのカーネルは、センサ（例えば、光センサ）パラメータを監視し、センサのパラメータに変化が発生したことが監視され検出された場合には、センサのパラメータに変化が発生したことを示す一つのお知らせメッセージを生成する。本実施例において、モニタは、リアルタイムで端末の光線センサパラメータに変化が発生したことを示すお知らせメッセージを受信することができ、光センサに変化が発生したというお知らせメッセージが受信された場合、モニタは、端末で運行しているシステムによる提供される光照射センサのアプリケーション・プログラミング・インターフェース（Ａｐｐｌｉｃａｔｉｏｎ  Ｐｒｏｇｒａｍｍｉｎｇ  Ｉｎｔｅｒｆａｃｅ、ＡＰＩ）を呼び出して、光線センサで探測した端末が配置されている環境の光照射強度を取得することができる。モニタは、取得した光照射強度を取得ユニット４０２に伝送する。
【００４９】
また、光照射センサは、異なる光照射強度の環境下の持続時間を探測することもでき、モニタはＡＰＩによって各光照射強度の環境の持続時間を取得することもでき、これらの持続時間は、取得ユニット４０２に伝送される。
【００５０】
本実施例の複数のオプションとなる実施形態において、取得ユニット４０２は、モニタを使用して所定の期間内に環境の光照射強度を取得することができる。この所定の期間内に、環境の光照射強度は何度の変化が発生することができる。取得ユニット４０２端末は、モニタを使用して、その所定の期間内の複数の光照射強度と各光照射強度の持続時間を取得することができる。ここで、所定の期間は、例えば、１０秒であることができる。また、所定の期間は、実際の需要に応じて設定することができ、これに対して限定しない。
【００５１】
本実施例の複数のオプションとなる実施形態において、端末画面のロックを解除する装置４００には、光照射強度の変化規律が予め記憶されることができる。その変化の規律は、例えば、光照射の相対的強弱の変化を表示する２次元の値であることができ、例えば、交互に変化する「０」、「１」の数字を含むことができる。ここでの「１」は、例えば光照射強度の数値が予め設定された閾値よりも大きいことを示すことができる。ここでの「０」は、例えば光照射強度の数値が予め設定された閾値よりも小さいことを示すことができる。閾値は、実際の使用環境に応じて設定することができ、これに対して限定しない。
【００５２】
本実施例の複数のオプションとなる実施形態において、端末画面のロックを解除する装置４００は、統計ユニット（図示せず）をさらに含む。統計ユニットは、取得ユニット４０２により所定の期間内に取得した複数の光照射強度と各光照射強度の持続時間に応じて、光照射強度の変化規律を統計するように構築される。光照射強度の変化規律を統計するとき、予め設定された閾値よりも大きい光照射強度を「１」とみなし、予め設定された閾値よりも小さい光照射強度を「０」とみなすことができる。続いて、判断ユニット４０３は、統計ユニットで統計した光強強度の変化規律と、ユーザにより予め設定された変化の規律とが一致しているか否かを再度判断する。所定の期間内に取得した複数の光照射強度と各光照射強度の持続時間に応じて統計した光照射強度の変化規律と、ユーザが予め設定された変化の規律とが一致した場合、判断ユニット４０３は、光照射情報が所定の条件を満たしていると判断する。一致しない場合、判断ユニット４０３は、光照射情報が所定の条件を満たしていないと判断する。
【００５３】
本実施例の複数のオプションとなる実施形態において、判断ユニット４０３は、各光照射強度がユーザにより設定された強度閾値よりも大きいか否かをそれぞれ判断し、その強度閾値は、端末画面のロックを解除する装置４００に予め記憶されている。任意の一つの光照射強度がユーザにより設定された強度閾値よりも大きい場合には、判断ユニット４０３は、継続してその光照射強度の持続時間が時間閾値より大きいか否かを判断する。時間閾値は、例えば１０ミリ秒であることができる。任意の一つの光照射強度が強度閾値よりも大きく、その光照射強度の持続時間が時間閾値よりも大きい場合には、判断ユニット４０３は、光照射強度とその持続時間を含む光照射情報が所定の条件を満たしていると判断し、そうでなければ、判断ユニット４０３は、光照射情報が所定の条件を満たしていないと判断する。
【００５４】
以下、図５を参照し、図５は、本出願の実施例を実現するのに適する端末のコンピュータシステム５００の構造概略図を示す。
【００５５】
図５に示されたように、コンピュータシステム５００は、読み出し専用メモリ（ＲＯＭ）５０２に記憶されているプログラム又は記憶部５０８からランダムアクセスメモリ（ＲＡＭ）５０３にロードされたプログラムに基づいて様々な適当な動作および処理を実行することができる中央処理装置（ＣＰＵ）５０１を備える。ＲＡＭ５０３には、システム５００の操作に必要な様々なプログラムおよびデータがさらに記憶されている。ＣＰＵ５０１、ＲＯＭ５０２およびＲＡＭ５０３は、バス５０４を介して互いに接続されている。入力／出力（Ｉ／Ｏ）インターフェース５０５もバス５０４に接続されている。
【００５６】
キーボードなどを含む入力部５０５、液晶ディスプレイ（ＬＣＤ）などおよびスピーカなどを含む出力部５０７、ハードディスクなどを含む記憶部５０８、およびＬＡＮカード、モデムなどを含むネットワークインターフェースカードの通信部５０９は、Ｉ／Ｏインターフェース５０５に接続されている。通信部５０９は、例えばインターネットのようなネットワークを介して通信処理を実行する。ドライブ５１０も、必要に応じてＩ／Ｏインターフェース５０５に接続される。リムーバブルメディア５１１は、例えば、マグネチックディスク、光ディスク、光磁気ディスク、半導体メモリなどのようなものであり、必要に応じてドライブ５１０に取り付けられて、ドライブ５１０から読み出されたコンピュータプログラムが必要に応じて記憶部５０８にインストールされる。
【００５７】
特に、本開示の実施例によれば、上記のフローチャートに参照して説明された過程はコンピュータソフトウェアプログラムに実現されても良い。例えば、本開示の実施例は機器読取可能な媒体に形状的に含まれるコンピュータプログラムを含むコンピュータプログラム製品を備える。上記コンピュータプログラムは、フローチャートに示される方法を実行するためのプログラムコードを含む。このような実施例において、当該コンピュータプログラムは、通信部５０９を介してネットワークからダウンロードしてインストールされ、及び／又はリムーバブルメディア５１１からインストールされても良い。当該コンピュータプログラムは、中央処理ユニット（ＣＰＵ）５０１により実行される場合に、本出願の方法に限定される上記機能を実行する。
【００５８】
図面におけるフローチャート及びブロック図は、本願の各種実施例によるシステム、方法及びコンピュータプログラムが実現可能なシステムアーキテクチャー、機能及び動作を図示する。この点から、フローチャート又はブロック図におけるそれぞれのブロックは、１つのモジュール、プログラムブロック、又はコードの一部を示すことができ、当該モジュール、プログラムブロック、又はコードの一部は、一つ又は複数の所定のロジカル機能を実現するための実行可能なコマンドを含む。なお、複数の代わりになる実装において、ブロックに表示された機能は、図面に表示された順番と異なる順番で発生させることができる。例えば、２つの直列的に接続されると示されたブロックは、実際には、基本的に並行して実行することができ、機能によっては、逆の順番で実行することも可能である。なお、ブロック図及び／又はフローチャートにおけるそれぞれのブロックと、ブロック図及び／又はフローチャートにおけるブロックの組み合わせは、所定の機能又は処理を実行するための専用のハードウェアに基づくシステムによって実現することができ、あるいは、専用ハードウェアとコンピュータコマンドの組み合わせによって実現することができる。
【００５９】
本出願の実施例で記載した関連ユニットは、ソフトウェアの方法で実現されることができ、ハードウェアの方法で実現することもできる。記載されたユニットは、プロセッサに設けることができ、例えば、確定ユニット、取得ユニット、判断ユニットと実行ユニットを含むプロセッサと記載することができる。ここで、これらのユニットの名称は、場合によっては当該部そのものに対する限定にはならず、例えば、確定ユニットは、「端末画面のロックが解除待ち状態であると確定するユニット」と説明することもできる。
【００６０】
他の態様として、本願は、コンピュータ可読媒体を提供し、当該コンピュータ可読媒体は、上記実施例に記載された装置に含まれるものであってもよく、当該装置に取り込まれることなく、単独で存在するものであってもよい。上記コンピュータ可読媒体が一つ又は複数のプログラムを載せて、上記一つ又は複数のプログラムが当該装置によって実行されると、当該装置は、端末の現在の画面状態がロック解除待ち状態であると確定し、端末が配置されている環境の所定の期間内の光照射情報を取得し、上記光照射情報は、光照射強度と光照射の強度の持続時間を含む。そして、当該装置は、光照射情報が所定の条件を満たしているか否かを判断し、光照射情報が所定の条件を満たせば、端末の現在の画面状態をロック解除成功状態に転換させるようにする。
【００６１】
以上の記載は、本願の好ましい実施例、及び使われている技術的原理の説明に過ぎない。当業者は、本願に係る保護範囲が、上記の技術特徴による特定お組合せからなる技術方案に限定されるものではなく、本発明の趣旨を逸脱しない範囲で、上記技術特徴又は均等の特徴の任意の組合せからなる他の技術方案も含まれることを理解している。例えば、上記特徴と、本願に開示された類似の機能を持っている技術特徴（これらに限定されていない）とを互いに置き換えてなる技術方案も含まれる。
【図１】
2019523466.tif 000003
【図２】
2019523466.tif 000004
【図３】
2019523466.tif 000005
【図４】
2019523466.tif 000006
【図５】
2019523466.tif 000007
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
端末画面のロックを解除する方法であって、
端末の現在の画面状態がロック解除待ち状態であると確定するステップと、
前記端末が配置されている環境の所定の期間内の光照射情報を取得するステップであって、前記光照射情報は光照射強度と前記光照射強度の持続時間を含む、ステップと、
前記光照射情報が所定の条件を満たしているか否かを判断するステップと、
前記光照射情報が所定の条件を満たせば、前記端末の現在の画面状態をロック解除成功状態に転換させるステップとを含むことを特徴とする端末画面のロックを解除する方法。
【請求項２】
請求項１において、
前記光照射情報が所定の条件を満たしているか否かを判断するステップは、
前記光照射情報に基づいて光照射強度の変化規律を統計するステップと、
前記光照射強度の変化規律が所定の変化規律を満たしているか否かを判断するステップと、
前記光照射強度の変化規律が所定の変化規律と一致すれば、前記光照射情報が所定の条件を満たしていると判断するステップとを含むことを特徴とする端末画面のロックを解除する方法。
【請求項３】
請求項１において、
前記光照射情報が所定の条件を満たしているか否かを判断するステップは、
前記光照射強度が強度閾値よりも大きいか否かを判断するステップと、
前記光照射強度が強度閾値よりも大きい場合には、前記光照射強度の持続時間が時間閾値より大きいか否かを判断するステップと、
強度閾値よりも大きい光照射強度の持続時間が時間閾値よりも大きい場合には、前記光照射情報が所定の条件を満たしていると判断するステップとを含むことを特徴とする端末画面のロックを解除する方法。
【請求項４】
請求項１において、
前記端末の現在の状態がロック解除待ち状態であると確定するステップは、
前記端末に対するユーザの第１の操作に応答して、システムの画面ロック／ロック解除関数を呼び出すステップと、
前記システムの画面ロック／ロック解除関数の戻り値が所定の戻り値である場合には、現在の画面状態がロック解除待ち状態であると確定するステップとを含み、
前記第１の操作は、電源ボタンに対するユーザのクリック操作を含むことを特徴とする端末画面のロックを解除する方法。
【請求項５】
端末画面のロックを解除する装置であって、
前記端末の現在の画面状態がロック解除待ち状態であると確定するように構築された確定ユニットと、
前記端末が配置されている環境の所定の期間内の光照射情報を取得するように構築された取得ユニットであって、前記光照射情報は光照射強度と前記光照射強度の持続時間を含む、取得ユニットと、
前記光照射情報が所定の条件を満たしているか否かを判断するように構築されたと判断ユニットと、
前記光照射情報が所定の条件を満たせば、前記端末の現在の画面状態をロック解除成功状態に転換させるように構築された実行ユニットとを含むことを特徴とする端末画面のロックを解除する装置。
【請求項６】
請求項５において、
前記光照射情報に基づいて光照射強度の変化規律を統計するように構築された統計ユニットをさらに含み、
前記判断ユニットは、
前記光照射強度の変化規律が所定の変化規律を満たしているか否かを判断し、
前記光照射強度の変化規律が所定の変化規律と一致すれば、前記光照射情報が所定の条件を満たしていると判断するように、さらに構築されることを特徴とする端末画面のロックを解除する装置。
【請求項７】
請求項５において、
前記判断ユニットは、
前記光照射強度が強度閾値よりも大きいか否かを判断し、
前記光照射強度が強度閾値よりも大きい場合には、前記光照射強度の持続時間が時間閾値より大きいか否かを判断し、
強度閾値よりも大きい光照射強度の持続時間が時間閾値よりも大きい場合には、前記光照射情報が所定の条件を満たしていると判断するように、さらに構築されることを特徴とする端末画面のロックを解除する装置。
【請求項８】
請求項５において、
前記確定ユニットは、
前記端末に対するユーザの第１の操作に応答して、システムの画面ロック／ロック解除関数を呼び出し、
前記システムの画面ロック／ロック解除関数の戻り値が所定の戻り値である場合には、現在の画面状態がロック解除待ち状態であると確定するように、さらに構築され、
前記第１の操作は、電源ボタンに対するユーザのクリック操作を含むことを特徴とする端末画面のロックを解除する装置。
【請求項９】
プロセッサと、
記憶装置とを含み、
前記記憶装置には、前記プロセッサにより実行可能なコンピュータ読み取り可能なコマンドが記憶され、前記コンピュータ読み取り可能なコマンドが実行される場合、前記プロセッサは、端末画面のロックを解除する方法を実行する機器であって、
前記端末画面のロックを解除する方法は、
端末の現在の画面状態がロック解除待ち状態であると確定するステップと、
前記端末が配置されている環境の所定の期間内の光照射情報を取得するステップであって、前記光照射情報は光照射強度と前記光照射強度の持続時間を含む、ステップと、
前記光照射情報が所定の条件を満たしているか否かを判断するステップと、
前記光照射情報が所定の条件を満たせば、前記端末の現在の画面状態をロック解除成功状態に転換させるステップとを含むことを特徴とする機器。
【請求項１０】
プロセッサにより実行可能なコンピュータ読み取り可能なコマンドが格納されている不揮発性のコンピュータ記憶媒体であって、
前記コンピュータ読み取り可能なコマンドがプロセッサによって実行される場合に、前記プロセッサは、端末画面のロックを解除する方法を実行し、
前記端末画面のロックを解除する方法は、
端末の現在の画面状態がロック解除待ち状態であると確定するステップと、
前記端末が配置されている環境の所定の期間内の光照射情報を取得するステップであって、前記光照射情報は光照射強度と前記光照射強度の持続時間を含む、ステップと、
前記光照射情報が所定の条件を満たしているか否かを判断するステップと、
前記光照射情報が所定の条件を満たせば、前記端末の現在の画面状態をロック解除成功状態に転換させるステップとを含むことを特徴とする不揮発性コンピュータ記憶媒体。
【請求項１１】
プロセッサにより実行されると、請求項１ないし請求項４の何れか一つに記載の方法を実現させることを特徴とするコンピュータプログラム。
【手続補正２】
【補正対象書類名】明細書
【補正対象項目名】００２６
【補正方法】変更
【補正の内容】
【００２６】
本実施例においては、まず、ステップ１０２で所定の期間内に取得した複数の光照射強度と各光照射強度の持続時間に応じて光照射強度の変化規律を統計して、同様に、光照射強度の変化規律を統計する時、予め設定された閾値よりも大きい光照射強度を「１」とみなし、予め設定された閾値よりも小さい光照射強度を「０」とみなすことができる。続いて、当該光照射強度の変化規律とユーザにより予め設定された変化の規律とが一致しているか否かを再度判断する。所定の期間内に取得した複数の光照射強度と各光照射強度の持続時間に応じて統計した光照射強度の変化規律と、ユーザにより予め設定された変化の規律とが一致する場合、光照射情報は所定の条件を満足している。一致しない場合、所定の条件を満たしていない。
【手続補正３】
【補正対象書類名】明細書
【補正対象項目名】００２９
【補正方法】変更
【補正の内容】
【００２９】
端末の光照射情報が所定の条件を満たしていない場合、端末の現在の画面状態をロック解除待ち状態に維持する。
【手続補正４】
【補正対象書類名】明細書
【補正対象項目名】００４７
【補正方法】変更
【補正の内容】
【００４７】
本実施例の複数のオプションとなる実施形態において、端末のユーザの第１の操作に応答して、確定ユニット４０１は、システムの画面ロック／ロック解除関数を呼び出して、システムの画面ロック／ロック解除関数の戻り値に基づいて、現在の画面状態がロック解除待ち状態であるか否かを判断する。例えば、端末上のシステムは、Ａｎｄｒｏｉｄシステムの場合、端末は、ＫｅｙｇｕａｒｄＭａｎａｇｅｒタイプ中ｉｎＫｅｙｇｕａｒｄＲｅｓｔｒｉｃｔｅｄＩｎｐｕｔＭｏｄｅ関数を使用して、関数の戻り値に基づいて、端末画面のロックが解除待ち状態であるか否かを判断することができる。例えば、ｉｎＫｅｙｇｕａｒｄＲｅｓｔｒｉｃｔｅｄＩｎｐｕｔＭｏｄｅ関数を使用して取得したｆｌａｇ戻り値が所定の戻り値の「ｔｒｕｅ」である場合、端末の画面がロック解除待ち状態であることを表示する。ロック解除待ち状態は、ａ）画面消え、端末画面のロックが解除待ち状態であり、ｂ）画面点灯、端末画面のロックが解除待ち状態である二つの状態を備える。この方法を使用して取得したｆｌａｇ戻り値が「ｆａｌｓｅ」である場合、端末の画面がロック解除成功状態であることを表示する。ここで、第１の操作は、例えば端末の電源ボタンに対するユーザのクリック操作であることができる。一部の応用シーンにおいて、第１の操作は、端末の音声入力装置を介して端末に入力したユーザの一部の音声であることもあり、その一部の音声は、１つの音符または複数の音符などが含まれることができる。
【手続補正５】
【補正対象書類名】明細書
【補正対象項目名】００４９
【補正方法】変更
【補正の内容】
【００４９】
また、光照射センサは、異なる光照射強度の持続時間を探測することもでき、モニタはＡＰＩによって各光照射強度の持続時間を取得することもでき、これらの持続時間は、取得ユニット４０２に伝送される。
【手続補正６】
【補正対象書類名】明細書
【補正対象項目名】００５０
【補正方法】変更
【補正の内容】
【００５０】
本実施例の複数のオプションとなる実施形態において、取得ユニット４０２は、モニタを使用して所定の期間内に環境の光照射強度を取得することができる。この所定の期間内に、環境の光照射強度は何度の変化が発生することができる。取得ユニット４０２は、モニタを使用して、その所定の期間内の複数の光照射強度と各光照射強度の持続時間を取得することができる。ここで、所定の期間は、例えば、１０秒であることができる。また、所定の期間は、実際の需要に応じて設定することができ、これに対して限定しない。
【手続補正７】
【補正対象書類名】明細書
【補正対象項目名】００５２
【補正方法】変更
【補正の内容】
【００５２】
本実施例の複数のオプションとなる実施形態において、端末画面のロックを解除する装置４００は、統計ユニット（図示せず）をさらに含む。統計ユニットは、取得ユニット４０２により所定の期間内に取得した複数の光照射強度と各光照射強度の持続時間に応じて、光照射強度の変化規律を統計するように構築される。光照射強度の変化規律を統計するとき、予め設定された閾値よりも大きい光照射強度を「１」とみなし、予め設定された閾値よりも小さい光照射強度を「０」とみなすことができる。続いて、判断ユニット４０３は、統計ユニットで統計した光照射強度の変化規律と、ユーザにより予め設定された変化の規律とが一致しているか否かを再度判断する。所定の期間内に取得した複数の光照射強度と各光照射強度の持続時間に応じて統計した光照射強度の変化規律と、ユーザが予め設定された変化の規律とが一致した場合、判断ユニット４０３は、光照射情報が所定の条件を満たしていると判断する。一致しない場合、判断ユニット４０３は、光照射情報が所定の条件を満たしていないと判断する。
【国際調査報告】
2019523466.tif 000008
2019523466.tif 000009
2019523466.tif 000010
2019523466.tif 000011
2019523466.tif 000012